(57)【要約】【課題】本発明は、小規模の回路で給電信号と受信信号の周波数帯を同一にし、無線端末を充電する給電受信装置を提供する。【解決手段】本発明の給電受信装置は、アンテナ１６と、受信信号の周波数帯と同一の周波数帯の給電信号を生成し、アンテナ１６に供給する給電部４と、給電信号の一部を分配して第１分配信号を生成する分配部６と、３つの端子を具備し、第１端子が分配部６側に接続され、第２端子がアンテナ１６側に接続され、第１端子からの入力は第２端子に出力し、第２端子からの入力は第３端子に出力するサーキュレータ部１４と、第１分配信号の振幅を、漏洩信号反射信号の振幅と同一にし、第１分配信号の位相を、漏洩信号または反射信号の位相と逆相にする第１調整部８と、サーキュレータ部１４の第３端子よりの信号と第１調整部８よりの信号とを合成する合成部１０とを有する。【選択図】図１
2008295242.tif 000002
【特許請求の範囲】
【請求項１】
アンテナと、
受信信号の周波数帯と同一の周波数帯の給電信号を生成し、前記アンテナに供給する給電部と、
前記給電信号の一部を分配して第１分配信号を生成する分配部と、
３つの端子を具備し、第１端子が前記分配部側に接続され、第２端子が前記アンテナ側に接続され、第１端子からの入力は第２端子に出力し、第２端子からの入力は第３端子に出力するサーキュレータ部と、
前記第１分配信号の振幅と位相を調整する第１調整部と、
前記サーキュレータ部の第３端子よりの信号と前記第１調整部よりの信号とを合成し、出力する合成部と、
前記合成部よりの信号を受信する受信部と、
を有し、
前記第１調整部は、前記合成部出力における前記第１分配信号の振幅を前記サーキュレータ部の第１端子から第３端子に漏れた給電信号（以下、「漏洩信号」という。）または前記アンテナで反射された給電信号（以下、「反射信号」という。）の振幅と同一にし、位相を、前記漏洩信号または前記反射信号の位相と逆相にすることを特徴とする給電受信装置。
【請求項２】
請求項１記載の給電受信装置であって、
前記アンテナと前記サーキュレータ部との間に移相部も有し、
前記移相部は、前記サーキュレータ部の第３端子において、前記反射信号の位相を前記漏洩信号の位相と逆相または同相にするものであり、
前記第１調整部は、前記合成部出力における前記第１分配信号を、前記漏洩信号と前記反射信号が合成された信号と同じ振幅かつ逆位相に調整する
ことを特徴とする給電受信装置。
【請求項３】
請求項１記載の給電受信装置であって、
前記分配部は、前記給電信号を分配して第２分配信号も生成するものであり、
前記分配部と前記合成部との間に、第２調整部も有し、
前記第１調整部は、前記合成部出力において、前記第１分配信号を、前記漏洩信号と同じ振幅かつ逆位相に調整し、
前記第２調整部は、前記合成部出力において、前記第２分配信号を、前記反射信号と同じ振幅かつ逆位相に調整する
ことを特徴とする給電受信装置。
【請求項４】
請求項１〜３のいずれかに記載の給電受信装置であって、
前記アンテナと前記サーキュレータ部との間に第１フィルタも有し、
前記第１フィルタは、受信信号の周波数帯の信号のみを通過させる
ことを特徴とする給電受信装置。
【請求項５】
請求項４記載の給電受信装置であって、
前記受信信号と異なる周波数帯の給電受信装置送信信号を生成する送信部と、
前記アンテナと前記送信部との間に、前記給電受信装置送信信号の周波数帯の信号のみを通過させる第２フィルタと、
を有していることを特徴とする給電受信装置。
【請求項６】
アンテナと、
受信信号と同じ周波数帯の２つの周波数ｆ１、ｆ２の給電信号を生成し、前記アンテナに供給する給電部と、
前記給電信号の一部を分配して第１分配信号を生成する第１分配部と、
前記第１分配信号を第２分配信号と第３分配信号とに分配する第２分配部と、
３つの端子を具備し、第１端子が前記第１分配部側に接続され、第２端子が前記アンテナ側に接続され、第１端子からの入力は第２端子に出力し、第２端子からの入力は第３端子に出力するサーキュレータ部と、
前記第２分配信号の振幅と位相を調整する第１調整部と、
前記第３分配信号の振幅と位相を調整する第２調整部と、
前記第１調整部からの出力信号と前記サーキュレータ部の第３端子からの出力信号とを入力信号とし、第１出力手段と第２出力手段とを有する第１方向性結合部と、
前記第２調整部からの出力信号と前記第２出力手段からの出力される信号とを入力信号とし、第３出力手段と第４出力手段とを有する第２方向性結合部と、
前記第３出力手段から出力される信号の振幅と位相を調整する第３調整部と、
前記第３調整部からの出力信号と前記第１方向性結合部の第１出力手段からの出力信号とを入力信号とし、第５出力手段と第６出力手段とを有する第３方向性結合部と、
前記第５出力手段から出力される信号を受信する受信部を備え、
前記第１調整部は、前記第１出力手段から出力される給電信号の周波数ｆ２成分の電力が最小になるように、第２分配信号の位相と振幅を調整し、
前記第２調整部は、前記第３出力手段から出力される給電信号の周波数ｆ２成分の電力が最小になるように、第３分配信号の位相と振幅を調整し、
前記第３調整部は、前記第５出力手段から出力される給電信号の周波数ｆ１成分の電力が最小になるように、前記第３出力手段から出力される第３出力手段信号の位相と振幅を調整する、
ことを特徴とする給電受信装置。
【請求項７】
請求項１〜４、６のいずれかに記載の給電受信装置と、無線端末を備え、
前記無線端末が、
端末アンテナと、
前記端末アンテナに、前記給電受信装置の受信信号と同じ周波数帯の端末送信信号を供給する端末送信部と、
交流信号を直流電力に変換する整流部と、
第１端子が前記端末送信部側に接続され、第２端子が前記アンテナ側に接続され、第３端子が前記整流部側に接続され、第１端子からの入力は第２端子に出力し、第２端子からの入力は第３端子に出力する端末サーキュレータ部と、
を備える通信システム。
【請求項８】
請求項５記載の給電受信装置と、無線端末を備え、
前記無線端末が、
端末アンテナと、
前記端末アンテナに、前記給電受信装置の受信信号と同じ周波数帯の端末送信信号を供給する端末送信部と、
交流信号を直流電力に変換する整流部と、
第１端子が前記端末送信部側に接続され、第２端子が前記アンテナ側に接続され、第３端子が前記整流部側に接続され、第１端子からの入力は第２端子に出力し、第２端子からの入力は第３端子に出力する端末サーキュレータ部と、
前記給電受信装置よりの給電受信装置送信信号を受信する端末受信部と、
前記端末アンテナと前記端末サーキュレータ部との間に、前記給電信号の周波数帯の信号のみを通過させる第１フィルタと、
前記端末アンテナと前記端末受信部との間に、前記給電受信装置よりの給電受信装置送信信号の周波数帯の信号のみを通過させる第２フィルタと、を備える通信システム。
【請求項９】
１以上の請求項１〜４、６のいずれかに記載の給電受信装置と、無線端末を備え、
前記無線端末が、
複数の端末送信器と、
前記端末送信器から出力される直流電力を合成し、出力する端末直流合成部と、
を備えており、
それぞれの前記端末送信器は、
端末アンテナと、
前記端末アンテナに、前記給電受信装置の給電信号と同じ周波数帯の端末送信信号を供給する端末送信部と、
交流信号を直流電力に変換する整流部と、
第１端子が前記端末送信部側に接続され、第２端子が前記アンテナ側に接続され、第３端子が前記整流部側に接続され、第１端子からの入力は第２端子に出力し、第２端子からの入力は第３端子に出力する端末サーキュレータ部と、
を備える通信システム。
【請求項１０】
1以上の請求項５に記載の給電受信装置と、無線端末を備え、
前記無線端末が、
複数の端末送受信器と、
前記端末送受信器から出力される直流電力を合成し、出力する端末直流合成部と、
を備えており、
それぞれの前記端末送受信器は、
端末アンテナと、
前記端末アンテナに、前記給電受信装置の受信信号と同じ周波数帯の端末送信信号を供給する端末送信部と、
交流信号を直流電力に変換する整流部と、
第１端子が前記端末送信部側に接続され、第２端子が前記アンテナ側に接続され、第３端子が前記整流部側に接続され、第１端子からの入力は第２端子に出力し、第２端子からの入力は第３端子に出力する端末サーキュレータ部と、
前記給電受信装置よりの給電受信装置送信信号を受信する端末受信部と、
前記端末アンテナと前記端末サーキュレータ部との間に、前記給電信号の周波数帯の信号のみを通過させる第１フィルタと、
前記端末アンテナと前記端末受信部との間に、前記給電受信装置よりの給電受信装置送信信号の周波数帯の信号のみを通過させる第２フィルタと、
を備える通信システム。
【請求項１１】
１以上の請求項１〜４、６のいずれかに記載の給電受信装置と、無線端末を備え、
前記無線端末が、
複数の端末送信器と、
前記端末送信器から出力される交流信号を合成し、出力する端末交流合成部と、
前記端末交流合成器から出力される交流信号を直流電力に変換する整流部と、
を備えており、
それぞれの前記端末送信器は、
端末アンテナと、
前記端末アンテナに、前記給電受信装置の給電信号と同じ周波数帯の端末送信信号を供給する端末送信部と、
前記整流部で変換される直流電力が最大となるように、前記端末送信器から出力される交流信号の位相を調整する移相部と、
第１端子が前記端末送信部側に接続され、第２端子が前記アンテナ側に接続され、第３端子が前記移相部側に接続され、第１端子からの入力は第２端子に出力し、第２端子からの入力は第３端子に出力する端末サーキュレータ部と、
を備える通信システム。
【請求項１２】
1以上の請求項５に記載の給電受信装置と、無線端末を備え、
前記無線端末が、
複数の端末送受信器と、
前記端末送信器から出力される交流信号を合成し、出力する端末交流合成部と、
前記端末交流合成器から出力される交流信号を直流電力に変換する整流部と、
を備えており、
それぞれの前記端末送受信器は、
端末アンテナと、
前記端末アンテナに、前記給電受信装置の給電信号と同じ周波数帯の端末送信信号を供給する端末送信部と、
前記整流部で変換される直流電力が最大となるように、前記端末送受信器から出力される交流信号の位相を調整する移相部と、
第１端子が前記端末送信部側に接続され、第２端子が前記アンテナ側に接続され、第３端子が前記移相部側に接続され、第１端子からの入力は第２端子に出力し、第２端子からの入力は第３端子に出力する端末サーキュレータ部と、
前記給電受信装置よりの給電受信装置送信信号を受信する端末受信部と、
前記端末アンテナと前記端末サーキュレータ部との間に、前記給電信号の周波数帯の信号のみを通過させる第１フィルタと、
前記端末アンテナと前記端末受信部との間に、前記給電受信装置よりの給電受信装置送信信号の周波数帯の信号のみを通過させる第２フィルタと、
を備える通信システム。
【請求項１３】
アンテナと、給電部と、分配部と、第１調整部と、合成部と、受信部と、３つの端子を具備し、第１端子が前記分配部側に接続され、第２端子が前記アンテナ側に接続され、第第３端子が、前記合成部側に接続され、第１端子からの入力は第２端子に出力し、第２端子からの入力は第３端子に出力するサーキュレータ部と、を備える給電受信装置を制御する給電受信方法であって、
前記給電部が、受信信号の周波数帯と同一の周波数帯の給電信号を生成し、前記アンテナに供給する給電過程と、
前記分配部が、前記給電信号の一部を分配して第１分配信号を生成する分配過程と、
前記第１調整部が、前記合成部出力における、前記第１分配信号の振幅と位相をそれぞれ、前記合成部出力における、前記サーキュレータ部の第１端子から第３端子に漏れた給電信号（以下、「漏洩信号」という。）または前記アンテナで反射された給電信号（以下、「反射信号」という。）の振幅と同一、前記漏洩信号または前記反射信号の位相と逆相とする第１調整過程と、
前記合成部が、前記サーキュレータ部の第３端子よりの信号と前記第１調整部よりの信号とを合成し、出力する合成過程と、
前記受信部が、前記合成部よりの信号を受信する受信過程と、
を有する給電受信方法。
【請求項１４】
アンテナと、給電部と、分配部と、第１調整部と、合成部と、受信部と、第１端子が前記分配部側に接続され、第２端子が前記アンテナ側に接続され、第３端子が、前記合成部側に接続され、第１端子からの入力は第２端子に出力し、第２端子からの入力は第３端子に出力するサーキュレータ部と、を備える給電受信装置と、
端末アンテナと、端末送信部と、整流部と、第１端子が前記端末送信部側に接続され、第２端子が前記端末アンテナ側に接続され、第３端子が整流部側に接続され、第１端子からの入力は第２端子に出力し、第２端子からの入力は第３端子に出力する端末サーキュレータ部と、を備える無線端末と、
を用いた通信システムを制御する通信方法であって、
前記給電部が、給電信号を生成し、給電受信装置のアンテナに供給するステップと、
前記アンテナから、無線端末に前記給電信号を送信するステップと、
前記端末アンテナに、前記給電信号を受信するステップと、
前記整流部が、前記給電信号を直流電力に変換するステップと、
前記端末送信部が、前記給電信号の周波数帯と同一の周波数帯の端末送信信号を生成し、端末アンテナに供給するステップと、
前記端末アンテナから、前記端末送信信号を前記給電受信装置に送信するステップと、
前記分配部が、前記給電信号の一部を分配して第１分配信号を生成するステップと、
前記第１調整部が、前記合成器出力における、前記第１分配信号の振幅と位相をそれぞれ、前記合成部出力における、前記サーキュレータ部の第１端子から第３端子に漏れた給電信号（以下、「漏洩信号」という。）または前記アンテナで反射された給電信号（以下、「反射信号」という。）の振幅と同一、前記漏洩信号または前記反射信号の位相と逆相にするステップと、
前記合成部が、前記サーキュレータ部の第３端子よりの信号と前記第１調整部よりの信号とを合成し、出力するステップと、
前記受信部が、前記合成部よりの信号を受信するステップと、を有することを特徴とする通信方法。
【請求項１５】
アンテナと、給電部と、分配部と、第１調整部と、合成部と、受信部、送信部と、第１端子が前記分配部側に接続され、第２端子が前記アンテナ側に接続され、第３端子が、前記合成部側に接続され、第１端子からの入力は第２端子に出力し、第２端子からの入力は第３端子に出力するサーキュレータ部と、を備える給電受信装置と、
端末アンテナと、端末送信部と、整流部と、第１端子が前記端末送信部側に接続され、第２端子が前記端末アンテナ側に接続され、第３端子が整流部側に接続され、第１端子からの入力は第２端子に出力し、第２端子からの入力は第３端子に出力する端末サーキュレータ部と、端末受信部を備える無線端末と、
を用いた通信システムを制御する通信方法であって、
給電信号送信過程と、給電過程と、端末送信信号送信過程と、端末送信信号受信過程と、給電受信装置送信信号送信過程と、給電受信装置送信信号受信過程と、を有し、
前記給電信号送信過程は、
前記給電部が、給電信号を生成し、給電受信装置のアンテナに供給するステップと、
前記アンテナから、無線端末に前記給電信号を送信するステップと、を有し
前記給電過程は、
前記端末アンテナに、前記給電信号を受信するステップと、
前記整流部が、前記給電信号を直流電力に変換し、当該直流電力を少なくとも前記端末送信部に供給するステップと、を有し、
前記端末送信信号送信過程は、
前記端末送信部が、前記給電信号の周波数帯と同一の周波数帯の端末送信信号を生成し、端末アンテナに供給するステップと、
前記端末アンテナから、前記端末送信信号を前記給電受信装置に送信するステップと、を有し、
前記端末送信信号受信過程は、
前記分配部が、前記給電信号の一部を分配して第１分配信号を生成するステップと、
前記第１調整部が、前記合成器出力における、前記第１分配信号の振幅と位相をそれぞれ、前記合成部出力における、前記サーキュレータ部の第１端子から第３端子に漏れた給電信号（以下、「漏洩信号」という。）または前記アンテナで反射された給電信号（以下、「反射信号」という。）の振幅と同一、前記漏洩信号または前記反射信号の位相と逆相にするステップと、
前記合成部が、前記サーキュレータ部の第３端子よりの信号と前記第１調整部よりの信号とを合成し、出力するステップと、
前記受信部が、前記合成部よりの信号を受信するステップと、を有し、
前記給電受信装置送信信号送信過程は、
前記送信部が、給電受信装置送信信号を生成し、給電受信装置のアンテナに供給するステップと、
前記アンテナから、無線端末に前記給電受信装置送信信号を送信するステップと、を有し、
前記給電受信装置送信信号受信過程は、
前記端末アンテナに給電受信装置送信信号を受信するステップと、前記端末受信部が、前記端末アンテナよりの信号を受信するステップと、を有し、
前記給電信号送信過程、前記給電過程と、前記端末送信信号送信過程、前記端末送信信号受信過程と、前記給電受信装置送信信号送信過程、前記給電受信装置送信信号受信過程とが並列に行われることを特徴とする通信方法。
【発明の詳細な説明】
【技術分野】
【０００１】
この発明は、無線端末からの受信信号を受信し、無線端末に給電信号を送信する給電受信装置、通信システム、及びこれらの方法に関する。
【背景技術】
【０００２】
サービスの多様化に伴い、携帯電話端末（以下、無線端末という）の消費電力は増加する傾向にある。また、今後もさらに多くのサービスが提供されるものと予想され、消費電力増加の傾向は続くものと見込まれる。端末の電源として一般的に使われている二次電池は、リチウムイオン電池である。リチウムイオン電池は、高いエネルギー密度のエネルギーの蓄積が可能であり、端末の利用時間増などに貢献してきたが、今後の大幅な容量増加は難しいのが現状である。そこで、無線端末の外部から給電を行いながら、通信する技術が提案されている。
【０００３】
特許文献１によれば、所定の電磁波を生成する電磁波生成装置と、該電磁波を放射するアンテナと、からなり、所定の位置に設置される送電システムによって放射された該電磁波をレクテナから成る受電システムによって受信し、電力に変換するシステムが提案されている。
【特許文献１】特開２００５−２６１１８７号公報
【発明の開示】
【発明が解決しようとする課題】
【０００４】
送電用信号の周波数帯と通信信号の周波数帯とが同一であると、通信の品質を劣化させてしまうため、送電用に新たな周波数を用意する必要があった。
また、特許文献１のシステムを既存の通信システムに適用する場合、電磁波生成装置と、受電システムを新たに設置しなければならず、給電受信装置、無線端末ともに装置規模の増大をまねくという問題があった。
本発明は、通信品質を劣化させることなく、給電信号の周波数帯と受信信号の周波数帯とを同一にでき、かつ、給電信号装置と無線端末の小型化に適した給電受信装置および通信システムを提供することを目的とする。
【課題を解決するための手段】
【０００５】
本発明の給電受信装置は、アンテナと、給電部と、分配部と、サーキュレータ部と、第１調整部と、合成部と、受信部と、を有する。給電部は、受信信号の周波数帯と同一の周波数帯の給電信号を生成し、前記アンテナに供給する。分配部は、前記給電信号の一部を分配して第１分配信号を生成する。サーキュレータ部は、３つの端子を具備し、第１端子が分配部側に接続され、第２端子がアンテナ側に接続され、理想的には、第１端子からの入力は第２端子に出力し、第２端子からの入力は第３端子に出力する。第１調整部は、後述する合成部出力において、第１分配信号の振幅を、サーキュレータ部の第１端子から第３端子に漏れた給電信号（以下、「漏洩信号」という。）またはアンテナで反射された給電信号（以下、「反射信号」という。）の振幅と同一にし、第１分配信号の位相を、漏洩信号または反射信号の位相と逆相にする。合成部は、サーキュレータ部の第３端子よりの信号と第１調整部よりの信号とを合成し、出力する。受信部は、合成部よりの信号を受信する。
【０００６】
さらに、アンテナとサーキュレータ部との間に移相部を有しても良い。移相部は、反射信号の位相をサーキュレータの第３端子において漏洩信号の位相と逆相または同相にする。この場合、第１調整部は、第１分配信号を、合成部出力において、漏洩信号と反射信号が合成された信号と同じ振幅かつ逆位相に調整する。
さらに、分配部と、合成部との間に第２調整部を有しても良い。この場合、分配部は、前記給電信号を分配して第２分配信号も生成する。第１調整部は、合成部出力において、第１分配信号の振幅を、漏洩信号と同じ振幅かつ逆位相に調整する。第２調整部は、合成部出力において、第２分配信号の振幅を、反射信号と同じ振幅かつ逆位相に調整する。
【０００７】
さらに、アンテナとサーキュレータ部との間に第１フィルタも有してもよい。第１フィルタは、受信信号の周波数帯の信号のみを通過させる。また、送信部と、アンテナと当該送信部との間に第２フィルタとを有しても良い。送信部は、受信信号と異なる周波数帯の給電受信装置送信信号を生成する。第２フィルタは、給電受信装置送信信号の周波数帯の信号のみを通過させる。
【発明の効果】
【０００８】
本発明によれば、給電信号と受信信号の周波数帯とを同一にしても、給電信号の一部を分配した第１分配信号を用いて、漏洩信号や反射信号を抑圧できる。従って、通信品質を劣化させることなく、給電信号の周波数帯と受信信号の周波数帯とを同一にすることができる。また給電受信装置の大型化も避けられる。
また、給電受信装置が給電信号を生成し、無線端末に送信する。そして、無線端末の整流部が当該給電信号を直流電力に変換して、当該直流電力を無線端末の各部分に供給できる。当該機能追加における無線端末装置規模は、整流部が追加されるのみであり、無線端末も小型化における支障は小さい。
【発明を実施するための最良の形態】
【０００９】
以下に、本発明の実施例を説明する。なお、同じ機能を持つ構成部や同じ処理を行う過程には同じ番号を付し、重複説明を省略する。
【実施例１】
【００１０】
図１は実施例１の給電受信装置１００の機能構成例と、無線端末２００の機能構成例であり、図２は給電受信装置１００と無線端末２００を用いた通信システムの主な処理の流れを示したフローチャートである。給電受信装置１００は、給電部４、分配部６、第１調整部８、合成部１０、受信部１２、サーキュレータ部１４、アンテナ１６を有する。無線端末２００は、端末アンテナ２５２、端末サーキュレータ部２５６、整流部２５４、端末送信部２６０を有し、必要に応じて、蓄電部２５８を有しても良い。なお、無線端末２００の詳細は、本願出願人の出願公開されていない特許出願（特願２００７−１１８０４８号、特願２００７−１１８０４９号）に記載されている。まず、無線端末２００が、蓄電部２５８を有する場合を説明する。
【００１１】
給電部４は、周波数帯Ｆ１の給電信号Ａを生成し、分配部６、サーキュレータ部１４を経て、アンテナ１６に供給する（ステップＳ２）。
ここで、サーキュレータ部について説明する。サーキュレータ部は方向性を有するデバイスである。サーキュレータ部１４と端末サーキュレータ部２５６は、第１端子、第２端子、第３端子、の３つの端子を具備する。サーキュレータ部１４の第１端子が分配部６側に接続され、第２端子がアンテナ１６側に接続され、第３端子は合成部１０側に接続されている。端末サーキュレータ部２５６の第１端子が端末送信部２６０側に接続され、第２端子が端末アンテナ２５２側に接続され、第３端子が整流部２５４側に接続される。理想的には、第１端子からの入力は第２端子に出力し、第２端子からの入力は第３端子に出力する。なお、図１等では、第１端子、第２端子、第３端子をそれぞれ＃１、＃２、＃３と示している。
【００１２】
アンテナ１６が、無線端末２００に給電信号Ａを送信する（ステップＳ４）。無線端末２００が端末アンテナ２５２で給電信号Ａを受信すると（ステップＳ６）、給電信号Ａは、端末サーキュレータ部２５６の第２端子から入力され第３端子から出力され、整流部２５４に入力される。整流部２５４は受電信号Ａを直流電力に変換する（ステップＳ８）。蓄電部２５８は変換された直流電力を蓄電する（ステップＳ１０）。その後、蓄電部２５８は、蓄電した直流電力を端末送信部２６０等に供給する。
端末送信部２６０は、情報を送信するための端末送信信号Ｂを生成し、端末アンテナ２５２に供給する（ステップＳ１２）。ここで端末送信信号Ｂの周波数帯は、給電信号Ａの周波数帯Ｆ１と同一である。生成された端末送信信号Ｂは、端末サーキュレータ部２５６の第１端子から入力されて第２端子から出力されて、端末アンテナ２５２に供給される。端末送信信号Ｂは端末アンテナ２５２から、給電受信装置１００に対して送信される（ステップＳ１４）。給電受信装置１００は、アンテナ１６で端末送信信号Ｂを受信する。以下では、端末送信信号Ｂ（無線端末２００からの送信信号）を受信信号Ｂ（給電受信装置１００の受信信号）と言及する場合もある。給電受信装置１００に受信された受信信号Ｂは、サーキュレータ部１４の第２端子から入力され、第３端子から出力され、合成部１０に入力される。
【００１３】
一方、給電部４よりのサーキュレータ部１４の第１端子に入力された全ての給電信号Ａは、理想的には、第１端子に入力され、第２端子から出力されることが望ましい。しかし、第１端子と第３端子との分離度（アイソレーション）は無限大にはならない。よって、現実的には、給電信号は第１端子から第３端子側にわずかではあるが漏れてしまう。以下、この漏れた信号を漏洩信号と言う。
また、上述の通り、給電信号Ａはアンテナ１６で無線端末２００に対して送信される。理想的には、全ての給電信号Ａがアンテナ１６から送信されることが望ましいが、現実的には、アンテナ１６の不整合などにより、給電信号Ａの一部がアンテナ１６で反射され、サーキュレータ部１４の第２端子に入力されてしまう。以下、この反射された信号を反射信号と言う。
【００１４】
漏洩信号、反射信号は給電信号Ａの一部であるため、漏洩信号、反射信号の周波数帯は給電信号Ａの周波数帯と同じＦ１である。漏洩信号、反射信号の周波数帯Ｆ１と受信信号Ｂの周波数帯Ｆ１とが同一であるため、漏洩信号や反射信号は、受信信号Ｂに干渉してしまう。
しかも、一般に受信信号Ｂの電力レベルは小さいため、漏洩信号や反射信号が、受信信号Ｂに干渉してしまうと、受信部１２は、高品質な受信信号Ｂを受信できず、無線端末２００から給電受信装置１００への端末送信信号Ｂによる情報伝送が困難になる。そこで、この実施例１では、以下の方法により、漏洩信号と反射信号のうちどちらか一方を抑圧する。
【００１５】
分配部６は、給電部４よりの給電信号Ａの一部を分配して、第１分配信号を生成する（ステップＳ１６）。第１分配信号は第１調整部８に入力される。ここで、図３は第１調整部８の機能構成例を示した図である。第１調整部８は、例えば、振幅調整手段８２、位相調整手段８４、遅延手段８６とで構成される。ここでは、漏洩信号を抑圧することを考える。振幅調整手段８２は、合成部１０の出力において第１分配信号の振幅を、漏洩信号の振幅と同一にする。位相調整手段８４は、合成部１０の出力において振幅調整手段よりの信号の位相を、漏洩信号の位相と逆相にする。遅延手段８６は、合成部１０の出力において位相調整手段８４よりの信号と、漏洩信号との遅延時間差をなくす。このようにして、第１調整部８は、第１の分配信号の振幅と位相を調整して（ステップＳ１８）、合成部１０の出力において漏洩信号と同振幅逆位相の信号を生成する。また、反射信号を抑圧する場合は、同じ手法により、第１調整部８が、第１分配信号の位相と振幅を調整して、合成部１０の出力において反射信号と同振幅逆位相の信号を生成すればよい。
【００１６】
第１調整部８よりの信号は合成部１０に入力され、サーキュレータ部１４の第３端子よりの信号も合成部１０に入力される。合成部１０は、第１調整部８よりの信号と、サーキュレータ部１４の第３端子よりの信号と、を合成する（ステップＳ２０）。上述の通り、第１調整部８で、合成部１０の出力において漏洩信号または反射信号のうちどちらか一方の信号と同振幅逆位相の信号が生成されているので、合成部１０の合成で、漏洩信号または反射信号のうちどちらか一方を抑圧できる。従って、漏洩信号または反射信号のうち電力が強い方の信号と同振幅逆位相の信号を第１調整部８で生成することが望ましい。受信部１２は合成部１０よりの受信信号Ｂを受信する（ステップＳ２２）。
【００１７】
図４に給電受信装置１００において、給電信号Ａの周波数帯Ｆ１と受信信号Ｂの周波数帯Ｆ1とが1．９５ＧＨｚ〜２．０５ＧＨｚである場合の漏洩信号の抑圧量を示す。横軸が周波数Ｆ１の値であり、縦軸が漏洩信号の抑圧量（単位はｄＢ）である。図４より、Ｆ1が２ＧＨｚ近辺であると、１００ｄＢ以上の抑圧が可能であることが分かる。ここで、サーキュレータ部１４の周波数特性を考慮していない。受信信号Ｂとして、狭帯域の信号を用いるほど、抑圧量が大きく、有効である。
このように、給電信号Ａの周波数帯と受信信号Ｂの周波数帯とを同一にしても、分配部６、第１調整部８、合成部１０が、漏洩信号、反射信号のうちどちらかを抑圧して、漏洩信号の受信信号Ｂへの干渉、もしくは、反射信号の受信信号Ｂへの干渉を防ぐことが出来る。その結果、受信部１２は高品質な受信信号Ｂを受信できる。また、アンテナ１６などの構成部を給電信号Ａの送信と受信信号Ｂの受信に共用できるので、装置の大型化を避けることができる。
給電受信装置１００の給電部４が給電信号Ａを生成し、無線端末２００に送信する。そして、無線端末２００が給電信号Ａを受信し整流部２５４が直流電力に変換し、直流電力を無線端末の各部分に供給する。従って、給電受信装置、無線端末ともに小規模にでき、給電受信装置は無線端末に給電できる。
【００１８】
［変形例］
次に、実施例１の変形例として、無線端末２００が蓄電部２５８を有していない場合を説明する。図５に変形例１の給電受信装置１００と無線端末２３０の機能構成例を示し、図６に主な処理の流れを示す。無線端末２３０は、蓄電部２５８を有していない点、整流部２５４が端末送信部２６０に変換された直流電力を供給する点、が無線端末２００と異なる。また処理の流れ（図６参照）では、図２と比較すると、蓄電部２５８が蓄電するステップ（ステップＳ１０）の代わりに、整流部２５４が直流電力を少なくとも端末送信部２６０に供給するステップ（ステップＳ１１）を有する。
【００１９】
給電部４が給電信号Ａを生成するステップ（ステップＳ２）と、アンテナ１６が給電信号Ａを無線端末２００に送信するステップ（ステップＳ４）と、をまとめて給電信号送信過程（ステップＳ３０）とする。端末アンテナ２５２が給電信号Ａを受信するステップ（ステップＳ６）と、整流部２５４が給電信号Ａを直流電力に変換するステップ（ステップＳ８）と、整流部２５４が端末送信部２６０等に直流電力を供給するステップ（ステップＳ１１）と、をまとめて給電過程（ステップＳ３２）とする。端末送信部２６０が端末送信信号Ｂを生成するステップ（ステップＳ１２）と、端末アンテナ２５２が端末送信信号Ｂを送信するステップ（ステップＳ１４）と、をまとめて送信信号送信過程（Ｓ３４）とする。分配部６が第１分配信号を生成するステップ（ステップＳ１６）と、第１調整部８が第１分配信号の位相と振幅を調整するステップ（ステップＳ１８）と、合成部１０が調整された第１分配信号と送信信号を合成するステップ（ステップＳ２０）と、受信部１２が合成部１０よりの信号を受信するステップ（ステップＳ２２）と、をまとめて送信信号受信過程（ステップＳ３６）とする。
無線端末２００が蓄電部２５８を有していない場合は、図６に示すように、給電信号送信過程（ステップＳ３０）、給電過程（ステップＳ３２）、送信信号送信過程（ステップＳ３４）、送信信号受信過程（ステップＳ３６）の順番で各過程が開始する。つまり、ステップＳ４の処理終了後、ステップＳ６の処理が開始される。ステップＳ１１の終了後、ステップＳ１２の処理が開始される。ステップＳ１４の処理の終了後、ステップＳ１６の処理が開始される。また、ステップＳ３０とステップＳ３２の順番で行い、ステップＳ３０とステップＳ３２とをまとめた過程を給電信号送受信過程（ステップＳ４０）とし、ステップＳ３４とステップＳ３６の順番で、ステップＳ３４とステップＳ３６とをまとめた過程を送信信号送受信過程（ステップＳ４２）とする（図６参照）。一通りの過程が終了した後は、ステップ４０とステップＳ４２とは独立して、行われる。
【実施例２】
【００２０】
図７は、実施例２の給電受信装置３００の機能構成例を示した図である。給電受信装置３００は、移相部１８をアンテナ１６とサーキュレータ部１４との間に有する点が給電受信装置１００と異なる。移相部１８は、サーキュレータ部の第３端子において反射信号の位相を漏洩信号の位相と逆相または同相にする。実施例１で説明した給電受信装置１００では、反射信号、漏洩信号のうち抑圧されない方の信号と、受信信号Ｂと、が干渉してしまう。本実施例では、移相部１８を設けることで、反射信号、漏洩信号の両方を抑圧できる。
【００２１】
移相部１８が、反射信号の位相を漏洩信号の位相と逆相にした場合は、サーキュレータ部１４の第３端子からは逆相にされた反射信号と漏洩信号とが合成された信号が出力される。第１調整部８は、第１分配信号の振幅と位相を調整して、合成部１２の出力において逆相にされた反射信号と漏洩信号との合成信号と同振幅逆位相の信号を生成する。合成部１０でこれらの信号が合成される。
移相部１８が、反射信号の位相を漏洩信号の位相と同相にした場合は、サーキュレータ部１４の第３端子からは同相にされた反射信号と漏洩信号とが合成された信号が出力される。第１調整部８は、第１分配信号の振幅と位相を調整して、合成部１２の出力において同相にされた反射信号と漏洩信号との合成信号と同振幅逆位相の信号を生成する。合成部１０でこれらの信号が合成される。
このように、移相部１８を設けることで、反射信号、漏洩信号の両方を抑圧できる。従って、実施例１と比較して、受信部１２はより高品質な受信信号を受信できる。
【実施例３】
【００２２】
図８は、実施例３の給電受信装置４００の機能構成例を示した図である。給電受信装置４００は、第２調整部２０を第１調整部８と並列的に、分配部６と合成部１０との間に有する点が給電受信装置１００と異なる。この場合、分配部６は、給電信号Ａの一部を分配して、上述した第１分配信号の他、第２分配信号をも生成する。分配部６の分配比は任意である。第１分配信号は第１調整部８に入力され、第２分配信号は第２調整部２０に入力される。第１調整部８は、第１分配信号の振幅、位相を、合成器１２の出力において漏洩信号と同じ振幅かつ逆位相に調整する。第２調整部２０は、第２分配信号の振幅、位相を、合成器１２の出力において反射信号と同じ振幅かつ逆位相に調整する。つまり第１調整部８は、漏洩信号を抑圧するための信号を生成し、第２調整部２０は、反射信号を抑圧するための信号を生成する。第２調整部２０の機能構成例は第１調整部８の機能構成例（図３参照）と同様である。また、第１調整部８が、第１分配信号の振幅、位相を、反射信号と同じ振幅かつ逆位相に調整し、第２調整部２０が、第２分配信号の振幅、位相を、漏洩信号と同じ振幅かつ逆位相に調整してもよい。
【００２３】
合成部１０には、サーキュレータ部１４の第３端子からの受信信号Ｂと、漏洩信号と、反射信号と、第１調整部８から漏洩信号を抑圧するための信号と、第２調整部２０から反射信号を抑圧するための信号と、がそれぞれ入力される。合成部１０は、これらの信号を全て合成し、漏洩信号、反射信号をそれぞれ抑圧できる。従って、受信部１２は、高品質な受信信号Ｂを受信できる。
このように、漏洩信号を抑圧するための信号を生成する第１調整部８、反射信号を抑圧するための信号を生成する第２調整部２０を設けて、漏洩信号、反射信号を別々に抑圧することもできる。このようにしても、実施例２と同様の効果を得ることができる。
【実施例４】
【００２４】
図９は実施例４の給電受信装置５００の機能構成例と無線端末２５０の機能構成例を示した図であり、図１０−１、図１０−２は実施例４の主な処理の流れを示したフローチャートである。給電受信装置５００は、送信部２６とデュプレクサ２３を有する点が給電受信装置１００と異なり、無線端末２５０は、端末受信部２６２と端末デュプレクサ２２３を有する点が無線端末２００と異なる。
実施例１〜３で説明した給電受信装置および無線端末では、無線端末から給電受信装置へ情報を送信する回線しかない。しかし、通常、給電受信装置から無線端末へ情報を送信する。この実施例４で説明する給電受信装置５００と無線端末２５０との間で、情報を交互に送信できる。
【００２５】
送信部２６は、無線端末２５０に情報を送信するための給電受信装置送信信号Ｃを生成する（図１０−２記載のステップＳ２４）。給電受信装置送信信号Ｃの周波数帯Ｆａは、端末送信信号Ｂの周波数帯Ｆ１と異なる。ここで、例えば、周波数帯Ｆ１と周波数帯Ｆａとが隣接している場合、アンテナ１６の共用が容易である。しかし、この場合、端末送信信号Ｂ（受信信号Ｂ）と給電受信装置送信信号Ｃとが干渉しやすくなる。そこで、アンテナ１６は、デュプレクサ２３を介して接続され、端末アンテナ２５２は、端末デュプレクサ２２３を介して接続される。デュプレクサ２３、第１フィルタ２２、第２フィルタ２４とで構成され、端末デュプレクサ２２３は、第１フィルタ２２２、第２フィルタ２２４とで構成される。第１フィルタ２２、２２２は周波数帯Ｆ１の信号のみを通過させ、つまり、給電信号Ａおよび端末送信信号Ｂ（受信信号Ｂ）のみを通過させる。第２フィルタ２４、２２４は周波数帯Ｆａの信号のみを通過させ、つまり、給電受信装置送信信号Ｃのみを通過させる。
【００２６】
サーキュレータ部１４の第２端子よりの給電信号Ａは、第１フィルタ２２を経由して、アンテナ１６に入力される。送信部２６よりの給電受信装置送信信号Ｃは、第２フィルタ２４を経由して、アンテナ１６に入力される。給電信号Ａおよび給電受信装置送信信号Ｃはアンテナ１６から無線端末２５０に送信される（ステップＳ２６）。
給電信号Ａおよび給電受信装置送信信号Ｃは、無線端末２５０の端末アンテナ２５２で受信されると（ステップＳ２８）、給電信号Ａおよび給電受信装置送信信号Ｃは、端末デュプレクサ２２３に入力される。上述の通り、第２フィルタ２２４は、給電受信装置送信信号Ｃのみを通過させるので、給電受信装置送信信号Ｃは端末受信部２６２に入力される（ステップＳ２９）。また、第１フィルタ２２２は、給電信号Ａのみを通過させるので、給電信号Ａは端末サーキュレータ部２５６に入力される。
【００２７】
また、給電受信装置５００が受信した受信信号Ｂは、第２フィルタ２４は通過できず、第１フィルタ２２を通過するので、受信信号Ｂは送信部２６に入力されず、サーキュレータ部１４に入力される。
このように、給電受信装置５００が送信部２６を有し、無線端末２５０が端末受信部２６２を有することで、給電受信装置５００と無線端末２５０間で、情報を相互に送受信できる。また、給電受信装置５００よりの給電受信装置送信信号Ｃの周波数帯Ｆａと無線端末２５０よりの端末送信信号Ｂとの周波数帯Ｆ１とが隣接している場合、給電受信装置５００および無線端末２５０がデュプレクサを有することで、端末送信信号Ｂ（受信信号Ｂ）と給電受信装置送信信号Ｃとの干渉を防ぐことが出来る。図１０−２記載のように、ステップＳ２４、ステップＳ２６を給電受信装置送信信号送信過程（ステップＳ３８）とし、ステップＳ２８、ステップＳ２９を給電受信装置送信信号受信過程（ステップＳ４０）とすると、給電信号送信過程（ステップＳ３０）、給電過程（ステップＳ３２）と、端末送信信号送信過程（ステップＳ３４）、端末送信信号受信過程（ステップＳ３６）と、給電受信装置送信信号送信過程（ステップＳ３８）、給電受信装置送信信号受信過程（ステップＳ４０）とが並列に行われる。
なお、実施例２で説明した移相部１８や実施例３で説明した第２調整部２０を給電受信装置内に設ければ、漏洩信号や反射信号を抑圧して、給電受信装置５００は高品質な受信信号Ｂを受信できる。
【実施例５】
【００２８】
図１１は実施例５の給電受信装置６００の機能構成例を示した図であり、図１２は給電受信装置６００の主な処理の流れを示した図である。給電受信装置６００は、給電信号Ａが広帯域信号の場合に、有効である。給電受信装置６００は給電部４、第１分配部６、第２分配部２７、サーキュレータ部１４、アンテナ１６、第１調整部２８、第２調整部３０、第３調整部４４、第１方向性結合部３２、第２方向性結合部３４、第３方向性結合部３８、受信部１２、終端部３６、終端部３７を有する。また、必要に応じて、第１モニタ４０、第２モニタ４１、第３モニタ４２を有してもよい。また、広帯域な給電信号Ａとして、図１３に示す２波モデルで説明する。低域側の周波数をｆ１とし、高域側の周波数をｆ２とし、帯域幅をΔｆとする。実施例１〜４と同様に、給電信号Ａの周波数帯と端末送信信号Ｂの周波数帯は同じであるかまたは、一部帯域が重畳する。
【００２９】
第１方向性結合部３２は第１出力手段Ｅ１、第２出力手段Ｅ２を有し、第２方向性結合部３４は第３出力手段Ｅ３、第４出力手段Ｅ４を有し、第３方向性結合部３８は第５出力手段Ｅ５、第６出力手段Ｅ６を有する。
給電部４で給電信号Ａが生成されると（ステップＳ５０）、給電信号Ａは第１分配部６に入力される。第１分配部６は給電信号Ａの一部を分配して、第１分配信号を生成する（ステップＳ５２）。第１分配信号は第２分配部２７に入力される。第２分配部２７は、第１分配信号を第２分配信号と第３分配信号とに分配する（ステップＳ５４）。分配比率は任意である。第２分配信号は第１調整部２８に入力され、第３分配信号は第２調整部３０に入力される。
【００３０】
第１方向性結合部３２は、第１調整部２８からの出力信号と、サーキュレータ部１４の第３端子からの出力信号と、を入力信号とする。例えば、ユーザが第１モニタ４０を見て、第１方向性結合部３２の第１出力手段Ｅ１から出力される給電信号の周波数ｆ２成分の電力が最小になるように、第１調整部２８は、第２分配信号の位相と振幅を調整する（ステップＳ５６）。第１出力手段Ｅ１から出力される信号は第３方向性結合部３８に入力される。第２出力手段Ｅ２から出力される信号は第２方向性結合部３４に入力される。
第２方向性結合部３４は、第２調整部３０からの出力信号と、第２出力手段Ｅ２からの出力信号と、を入力信号とする。例えば、ユーザが第２モニタ４１を見て、第２方向性結合部３４の第３出力手段Ｅ３から出力される給電信号（以下、「第３出力手段信号」という。）の周波数ｆ２成分の電力が最小になるように、第２調整部３０は、第３分配信号の位相と振幅を調整する（ステップＳ５８）。第３出力手段信号は第３調整部４４に入力される。第４出力手段から出力される信号は終端部３６に入力され、当該信号は終端される。
【００３１】
第３方向性結合部３８は、第３調整部４４からの出力信号と第１方向性結合部３２の第１出力手段Ｅ１からの出力信号とを入力信号とする。例えば、ユーザが第３モニタ４２を見て、第３方向性結合部３８の第５出力手段Ｅ５から出力される給電信号の周波数ｆ１成分の電力が最小になるように、第３調整部４４は、第３出力手段信号の位相と振幅を調整する（ステップＳ６０）。受信部１２は、第５出力手段Ｅ５から出力された信号を受信する（ステップＳ６２）。第６出力手段Ｅ６から出力される信号は終端部３７に入力され、当該信号は終端される。このようにして、給電信号Ａが広帯域信号であり、２つの周波数を有する場合であっても、効率よく給電信号Ａを抑圧できる。
【００３２】
無線端末よりの受信信号Ｂは、サーキュレータ部１４を経て、第１方向性結合部３２に入力され、第１出力手段Ｅ１から出力される。そして、受信信号Ｂは、第３方向性結合部３８に入力され、第５出力手段Ｅ５から出力され、受信部１２で受信される。従って、第１方向性結合部３２の分配比は、サーキュレータ部１４の第３端子から入力された受信信号Ｂが、第１出力手段Ｅ１に出力される分配を大きくするように調整し、第３方向性結合部３８の分配比は、第１出力手段Ｅ１から入力された受信信号Ｂが第５出力手段Ｅ５に出力される分配を大きくするように調整することが好ましい。また、第１方向性結合部３２、第２方向性結合部３４、第３方向性結合部３８の分配比はそれぞれ異なっても良い。以上の説明では、低域側の周波数をｆ１とし、高域側の周波数をｆ２としたが、高域側の周波数をｆ１とし、低域側の周波数をｆ２としても実施できる。
【００３３】
図１４に給電受信装置６００による漏洩信号の抑圧量を示す。横幅がΔｆの値であり、縦軸が漏洩信号を４０ｄＢ以上抑圧できた帯域幅である。図１４に示すように、Δｆを５、１０、１５ＭＨｚとした場合、漏洩信号を４０ｄＢ以上抑圧できた帯域幅はそれぞれ１０、１５、２０ＭＨｚである。ある漏洩電力抑圧量を達成できる帯域幅はΔｆが大きければ大きいほど、大きくなることが分かる。
給電受信装置６００のような構成にすることで、給電信号Ａ、つまり漏洩信号がΔｆの帯域幅をもつ広帯域信号であっても、効率よく、漏洩信号を抑圧できる。
【実施例６】
【００３４】
実施例１〜５では、１つの給電受信装置と１つの無線端末との通信システムについて説明した。この実施例６では、Ｎ（Ｎは２以上の整数）個の前記給電受信装置とＮ個の前記無線端末との通信システムについて説明する。この場合は、端末送信信号Ｂの周波数帯がＮ個（Ｆ１〜ＦＮ）ある。図１５に実施例６の給電受信装置７００−ｎ（ｎ＝１、．．．、Ｎ）と無線端末８００−ｎの機能構成例を示す。給電受信装置７００−ｎは、第１フィルタ２２−ｎをアンテナ１６−ｎとサーキュレータ部１４−ｎとの間に有する点が給電受信装置１００と異なる。無線端末８００−ｎは、第１フィルタ２２２−ｎを端末アンテナ２５２−ｎと端末サーキュレータ部２５６−ｎとの間に有する。給電受信装置７００−ｎが送信する給電信号Ａ−ｎの周波数帯と無線端末８００−ｎが送信する端末送信信号Ｂ−ｎの周波数帯をＦｎとする。
【００３５】
給電受信装置７００−ｎに設けられたサーキュレータ部１４−ｎは、給電信号Ａ−ｎと同じ周波数帯である周波数帯Ｆｎの信号は通過させ、それ以外の周波数帯の信号は反射させる機能を有する。しかし、その反射量が十分でない場合は、他の周波数帯の信号が受信部１２−ｎに入力される恐れがある。そこで、給電受信装置に第１フィルタ２２−ｎを設ければよい。第１フィルタ２２−ｎは周波数帯Ｆｎの信号のみを通過させるフィルタである。第１フィルタ２２−ｎを設けることで、給電受信装置７００−ｎは、給電信号Ａ−ｎと同じ周波数帯である周波数帯Ｆｎの受信信号Ｂ−ｎのみを受信することができる。その結果、他の周波数帯の信号と干渉することはない。
【００３６】
なお、実施例２で説明した移相部１８や実施例３で説明した第２調整部２０を給電受信装置７００−ｎ内に設ければ、漏洩信号や反射信号を抑圧して、高品質な受信信号Ｂを受信できる。また、図１６に示すように実施例４で説明した送信部２６−ｎとデュプレクサ２３−ｎを給電受信装置７００−ｎ内に設け、（以下、給電受信装置７００’−ｎという）端末受信部２６２−ｎと端末デュプレクサ２２３−ｎを無線端末８００−ｎ内に設けることもできる（以下、無線端末８００’−ｎという）。このような構成にすることで、給電受信装置７００’−ｎから無線端末８００’−ｎに給電受信装置送信信号Ｃ−ｎを送信できる。給電受信装置送信信号Ｃ−ｎの周波数帯はＦａｎとし、ＦａｎはＦｎと異なる。給電受信装置７００’−ｎ内にデュプレクサ２３−ｎを設けることで、端末送信信号Ｂ−ｎと給電受信装置送信信号Ｃ−ｎとの干渉を防ぐことが出来る。無線端末８００’−ｎに端末デュプレクサ２２３−ｎを設けることで、給電信号Ａ−ｎと給電受信装置送信信号Ｃ−ｎとの干渉を防ぐことが出来る。給電信号Ａが広帯域信号の場合は、給電受信装置を実施例５の構成にすることで、効率よく漏洩信号を抑圧できる。
【００３７】
［変形例１］
次に実施例６の変形例１を説明する。変形例１の無線端末はマルチバンド端末である。この実施例６の変形例１では、Ｎ（Ｎは２以上の整数）個の給電受信装置７００−ｎ（ｎ＝１、．．．、Ｎ）、Ｍ（Ｍは１以上の整数）個の無線端末８００−ｍに対応する無線端末９００−ｍ（ｍ＝１、．．．、Ｍ）との通信システムについて説明する。図１７に変形例１の給電受信装置７００−ｎと無線端末９００−ｍの機能構成例を示す。無線端末９００−ｍは複数の端末送信器２１５−ｍｎ、端末直流合成部２０４−ｍ、蓄電部２０６−ｍを有する。端末送信器２１５−ｍｎは、端末アンテナ２５２−ｍｎ、端末サーキュレータ部２５６−ｍｎ、端末送信部２６０−ｍｎ、整流部２５４−ｍｎ、第１フィルタ２２２−ｍｎを有する。無線端末９００−ｍは複数の周波数帯の端末送信信号Ｂ−ｍｎを送信できる。
【００３８】
端末送信部２６０−ｍｎは端末アンテナ２５２−ｍｎに、給電受信装置７００−ｎの給電信号Ａ−ｍｎと同じ周波数帯Ｆｎの端末送信信号Ｂ−ｍｎを供給する。整流部２５４−ｍｎは交流信号を直流電力に変換する。変換された直流電力は、それぞれ端末直流合成部２０４−ｍに入力される。端末直流合成部２０４−ｍはこれらの直流電力を合成する。合成された直流電力は、蓄電部２０６−ｍで蓄電される。蓄電部２０６−ｍを有していない場合は、端末直流合成部２０４−ｍが、端末送信器２１５−ｍｎなどに直流電力を供給する。
【００３９】
給電受信装置７００−ｎ内に第１フィルタ２２−ｎを設けているので、給電信号Ａ−ｎと同じ周波数帯Ｆｎである端末送信信号Ｂ−ｍｎのみを受信できる。その結果、他の周波数帯の信号と干渉することはない。
また、給電受信装置７００−ｎから、無線端末９００−ｍに給電受信装置送信信号Ｃを送信する場合は、図１８に示すように、給電受信装置７００−ｎをそれぞれ給電受信装置７００’−ｎ（変形例１で説明）に代え、無線端末９００−ｍの各々の端末送受信器２１５−ｍｎに、端末デュプレクサ２２３−ｍｎ、端末受信部２６２−ｍｎを設け（図１８では、無線端末９００’―ｍと記載）、実施例４で説明したように接続すればよい。
【００４０】
［変形例２］
図１９に実施例６の変形例２の給電受信装置７００−ｎと無線端末８００−ｎに対応する無線端末１０００−ｍの機能構成例を示す。この実施例６の変形例２では、Ｎ（Ｎは１以上の整数）個の給電受信装置７００−ｎとＭ（Ｍは２以上の整数）個の無線端末１０００−ｍとの通信システムについて説明する。無線端末１０００−ｍは、複数の端末送信器２１１−ｎｍ、端末交流合成部２０４−ｎ、整流部２０８−ｎ、とを有し、必要に応じて蓄電部２０６−ｎ、とを有する。端末送信器２１１−ｎｍは、端末アンテナ２５２−ｎｍ、端末サーキュレータ部２５６−ｎｍ、端末送信部２６０−ｎｍ、移相部２１０−ｎｍを有する。また第１フィルタ２２２−ｎｍを有する。複数の端末送信器２１１−ｎｍは同一の周波数帯の送信信号を生成し、送信する。
【００４１】
移相部２１０−ｎｍは、整流部２０８−ｎで変換される直流電力が最も大きくなるように、端末サーキュレータ部２５６−ｎｍの第３端子よりの交流信号の位相を調整する。端末交流合成部２０４−ｎは、移相部２１０−ｎｍからの全ての出力信号を合成する。整流部２０８−ｎは端末交流合成部２０４から出力された交流信号を直流電力に変換する。このように位相を調整した上で、合成すれば、効率よく直流電力が得ることができる。変換された直流電力は、蓄電部２０６−ｎに蓄電される。蓄電部２０６−ｎを有していない場合は、整流部２０８−ｎが、端末送信器２１１−ｎｍなどに直流電力を供給する。
【００４２】
給電受信装置７００−ｎ内に第１フィルタ２２−ｎを設けているので、給電信号Ａ−ｎと同じ周波数帯Ｆｎである送信信号のみを受信できる。その結果、他の周波数帯の信号と干渉することはない。
また、給電受信装置７００−ｎから、無線端末１０００−ｍに送信信号を送信する場合は、図２０に示すように、給電受信装置７００−ｎをそれぞれ給電受信装置７００’−ｎとし、端末送信器２１５−ｎｍの少なくとも１つに、端末デュプレクサ２２３−ｎｍ、端末受信部２６２−ｎｍを設け、実施例４で説明したように、接続すればよい。
【００４３】
［変形例３］
図２１に実施例６の変形例３の機能構成例を示す。図２１は、実施例６の給電受信装置７００−ｍが基地局の役割を果たし、無線端末８００−ｎが移動端末の役割を果たした場合のセルラーシステムの１セルを示した図である。このように、基地局同士で端末送信信号Ｂ−ｎ（ｎ＝１、．．．Ｎ）が干渉しなければ、全ての端末送信信号Ｂ−ｎの周波数帯を同一の周波数帯を用いることができ、周波数の有効利用を図ることができる。
【００４４】
［変形例４］
実施例６およびその変形例１および変形例２に示したように、同一の周波数を用いる無線端末が複数存在する場合には、各無線端末に割り当てられたコードによって、情報（端末送信信号Ｂ）を変調し、同一周波数で空間多重して、給電受信装置へ伝送することも可能である。例えば、ＣＤＭＡ方式を採用すれば、各々の無線端末が、給電受信装置から送信された同一周波数の給電信号Ａを受信して、蓄電できる。
【図面の簡単な説明】
【００４５】
【図１】実施例１の給電受信装置１００と無線端末２００の機能構成例を示した図。
【図２】実施例１の主な処理の流れを示したフローチャート。
【図３】第１調整部８の機能構成例を示した図。
【図４】給電受信装置１００の漏洩信号の抑圧量を示した図。
【図５】実施例１の変形例の給電受信装置１００と無線端末２３０の機能構成例を示した図。
【図６】変形例１の主な処理の流れを示したフローチャート。
【図７】実施例２の給電受信装置３００の機能構成例を示した図。
【図８】実施例３の給電受信装置４００の機能構成例を示した図。
【図９】実施例４の給電受信装置５００と無線端末２５０の機能構成例を示した図。
【図１０−１】実施例４の主な処理の流れを示したフローチャート。
【図１０−２】実施例４の主な処理の流れを示したフローチャート。
【図１１】実施例５の給電受信装置６００の機能構成例を示した図。
【図１２】給電受信装置６００の主な処理の流れを示したフローチャート。
【図１３】給電信号Ａが広帯域信号である場合に給電信号Ａを模式的に示した図。
【図１４】給電受信装置６００により、４０ｄＢ以上の漏洩信号を抑圧できた帯域幅を示した図。
【図１５】実施例６の給電受信装置７００−ｎと無線端末８００−ｎの機能構成例を示した図。
【図１６】実施例６の給電受信装置７００’−ｎと無線端末８００’−ｎの機能構成例を示した図。
【図１７】変形例１の給電受信装置７００−ｎと無線端末９００−ｎの機能構成例を示した図。
【図１８】変形例１の給電受信装置７００’−ｎと無線端末９００’−ｎの機能構成例を示した図。
【図１９】変形例２の給電受信装置７００−ｎと無線端末１０００−ｎの機能構成例を示した図。
【図２０】変形例２の給電受信装置７００’−ｎと無線端末１０００’−ｎの機能構成例を示した図。
【図２１】変形例３の給電受信装置７００と無線端末８００−ｎの機能構成例を示した図。
【図１】
2008295242.tif 000003
【図２】
2008295242.tif 000004
【図３】
2008295242.tif 000005
【図４】
2008295242.tif 000006
【図５】
2008295242.tif 000007
【図６】
2008295242.tif 000008
【図７】
2008295242.tif 000009
【図８】
2008295242.tif 000010
【図９】
2008295242.tif 000011
【図１０−１】
2008295242.tif 000012
【図１０−２】
2008295242.tif 000013
【図１１】
2008295242.tif 000014
【図１２】
2008295242.tif 000015
【図１３】
2008295242.tif 000016
【図１４】
2008295242.tif 000017
【図１５】
2008295242.tif 000018
【図１６】
2008295242.tif 000019
【図１７】
2008295242.tif 000020
【図１８】
2008295242.tif 000021
【図１９】
2008295242.tif 000022
【図２０】
2008295242.tif 000023
【図２１】
2008295242.tif 000024